【事件の表示】
　特願２００１−２８５８３８「ディスプレイの駆動方法、その回路及び携帯用電子機器」拒絶査定不服審判事件〔平成１５年　４月　４日出願公開、特開２００３−　９８９９２〕について、次のとおり審決する。
【結　論】
　本件審判の請求は、成り立たない。
【理　由】
１　手続の経緯　
　本願は、平成１３年９月１９日の出願であって、平成２３年７月２５日付けで手続補正がなされ、平成２３年８月９日付けで拒絶査定がなされ、これに対して、同年１１月１４日付けで拒絶査定不服審判が請求されると同時に手続補正がなされ、当審において、平成２３年１１月１４日付け手続補正が平成２５年２月１９日付けで却下されるとともに同日付けで拒絶の理由（以下「当審拒絶理由」という。）が通知され、同年４月３０日付けで手続補正がなされたものである。
　なお、請求人は、当審拒絶理由に対して平成２５年４月３０日付けの意見書を提出し、同年５月３１日の審判官による電話応対に対して同年６月２４日に回答ＦＡＸを送信している。
　
２　本願発明
　本願の請求項１ないし２３に係る発明は、平成２５年４月３０日付けで補正された明細書の特許請求の範囲の請求項１ないし２３に記載された事項によりそれぞれ特定されるものであるところ、その請求項１に係る発明は、平成２５年４月３０日付け補正後の明細書及び図面の記載からみて、その明細書の特許請求の範囲の請求項１に記載されたとおりの次のものと認める（下線は審決で付した。以下同じ）。
　
「電流駆動型の発光素子からなるディスプレイを備える携帯用電子機器で用いられ、前記ディスプレイを駆動する駆動方法であって、
前記ディスプレイに表示すべき表示内容が、待受画面、スクリーンセーブ画面、通話中に表示される通話画面、作成中又は受信した電子メールが表示される電子メール画面、又は、使用者が各種の操作を行うときに表示される操作画面の動画又は静止画であるかに応じて、コントローラが、前記ディスプレイを駆動するために生成される発振信号の分周比を変更することで、前記ディスプレイの走査周波数を変更すると共に、
前記発振信号の分周比の変更は、
前記待受画面、スクリーンセーブ画面又は通話画面であるときの前記発振信号の分周比＞前記電子メール画面又は操作画面の動画であるときの前記発振信号の分周比＞前記操作画面の静止画であるときの前記発振信号の分周比、
の関係式に従って行われることを特徴とするディスプレイの駆動方法。」（以下「本願発明」という。）
　
３　刊行物の記載事項
　当審拒絶理由に引用した「本願の出願前に頒布された刊行物である特開平１１−３１１９８０号公報（以下「引用例」という。）」には、図とともに以下の事項が記載されている。
（１）「【０００１】
【産業上の利用分野】本発明は、表示制御技術さらには液晶駆動制御に適用して特に有効な技術に関し、例えば、ドットマトリクス型キャラクタ表示用液晶パネル又はドットマトリクス型キャラクタ表示と独立してセグメント型の絵・マーク・アイコン乃至文字（数字）等の表示機能を有する液晶パネルの表示制御回路に利用して有効な技術に関する。
【０００２】
【従来の技術】一般に、液晶表示装置は、液晶表示パネルと、該液晶表示パネルを駆動する為の半導体基板上に集積回路化された液晶表示制御装置と、表示データの書き込みや前記液晶表示制御装置の表示動作の制御を行なうマイクロ・プロセッシング・ユニット（ＣＰＵ）を含むマイクロプロセッサ（ＭＰＵ）又はマイクロコントローラ等から構成されている。
【０００３】ドットマトリクス方式の表示パターンを生成するためのキャラクタジェネレータを内蔵した液晶表示制御装置は、キャラクタコ−ドを格納する表示デ−タメモリ（以下、表示データ用ランダムアクセスメモリ：表示データＲＡＭとも言う）と、文字フォントなどのキャラクタパタ−ンを格納するキャラクタジェネレータメモリ（キャラクタジェネレータ用リードオンリメモリ：キャラクタジェネレータＲＯＭとも言う）と、上記表示データＲＡＭから表示データを液晶表示パネルの駆動位置に合わせて読み出すアドレスカウンタと、液晶表示パネルのコモン電極及びセグメント電極に対するそれぞれの駆動信号を形成して液晶の駆動を行なう液晶駆動回路と、表示タイミングを与えるクロック信号を形成するタイミング発生回路等から構成されている。
【０００４】マイクロプロセッサは、液晶表示パネル上に表示したいキャラクタに対応するキャラクタコ−ドを表示データＲＡＭに書き込む。アドレスカウンタは、液晶表示パネルの駆動位置に合わせて順次表示データＲＡＭからキャラクタコードを読み出し、読み出されたキャラクタコ−ドをアドレスの一部としてキャラクタジェネレータＲＯＭをアクセスしてキャラクタパタ−ンを順次読み出す。読み出されたキャラクタパタ−ンは、液晶の点灯／非点灯デ−タとして液晶駆動回路内のセグメントシフトレジスタに順次送られ、１ライン分のデ−タが蓄積された時点で全セグメントドライバ回路が一斉に点灯／非点灯レベルの駆動電圧を出力し、液晶表示パネルを駆動する。
【０００５】なお、各キャラクタは垂直方向に複数のラインで構成されているため、上記の制御を各表示行毎にキャラクタのライン数（キャラクタが縦横５×８ドット構成の場合は８ライン）分だけ繰り返して行なわれる。上記の表示の点灯／非点灯制御は１ラインずつ時分割方式で行われる。そのため、タイミング制御回路から発生された１ラインの選択信号をコモンシフトレジスタに送り、このシフトレジスタが１ライン毎にシフトすることで、コモンドライバは各ラインの選択レベルの駆動電圧を順次出力する。
【０００６】
【本発明が解決しようとする課題】上記のような
液晶表示装置を搭載した携帯電話機やページャ等の携帯用電子機器において
待ち受け時には液晶表示パネル全面に表示を行なう必要はなくカレンダー表示や時計表示、さらにピクトグラムと呼ばれるマークやアイコン等の最小限の表示がなされていれば良い
待ち受け時に表示は減らす
液晶駆動デューティを変更していなかった
ため、待ち受け時の消費電力を充分に減らすことができない
【０００７】例えば、３２本のコモンドライバを有する液晶表示制御装置において、ＣＯＭ１信号に対するコモンドライバからＣＯＭ３２信号に対応するコモンドライバまで順次選択されて３２ラインが順次選択的に駆動される。この様な３２ラインのコモン信号線を順次駆動する駆動方法は、１／３２デューティ駆動と呼ばれている。この場合、キャラクタフォントのサイズが５×８ドットであれば、液晶パネル上において、その垂直方向に、４行分の文字列を表示することができる。この液晶表示制御装置において、４行分の全面表示を必要としない場合においても、４行分の時分割駆動を行うと、液晶駆動電圧及び液晶表示制御装置の消費電流は４行分の全面表示を行う場合と同等である。
【０００８】ここで、システムの待機状態においては４行分の全面表示を行わず、一部の表示行のみを選択的に駆動し、液晶駆動デューティを下げ、液晶駆動電圧を低減することができれば、液晶駆動制御装置の消費電力を抑えることができる事が分かった。しかしながら、液晶駆動電圧を変えると最適な駆動バイアス比も変化するため、そのままの駆動条件では良好な表示コントラストが得られなくなる。また、単に液晶駆動デューティだけを低くすると、キャラクタフォントの表示位置が最上行に固定され、表示としての見た目のバランスが悪くなるという問題点があることが明らかになった。
【０００９】なお、実開平２−１３１７８６号は、４倍昇圧回路と６倍昇圧回路とを有し、液晶の駆動デューティに応じてどちらか１方の昇圧回路を選択する液晶マトリックス表示装置を開示している。特開平３−１１９３８５は、ＡＣ電源と電池などの複数の電源を切り替え可能にした液晶表示回路において、停電時に電池駆動に変更すると共に、時計などの必要最小限の情報を駆動デューティ及びバイアスを低下させて表示することを開示している。
【００１０】本発明の
目的は、
システムの動作状態に応じて液晶駆動デューティを動的に変化させることで、システムトータルの消費電力を低減できる
【００１１】本発明の他の目的は、昇圧電圧の倍率、液晶駆動デューティ、液晶駆動バイアス及び液晶表示位置を動的に設定変更可能な液晶表示制御装置及びそれを用いたシステムを提供することにある。
【００１２】本発明の他の目的は、システムの動作状態に応じて、最も見やすい表示が行なえる液晶表示制御装置及びそれを用いたシステムを提供することにある。
【００１３】
【課題を解決するための手段】本願において開示される発明のうち代表的なものの概要を説明すれば、下記のとおりである。
【００１４】すなわち、
マイクロプロセッサから書き替え可能な駆動デューティ選択レジスタ（表示行制御レジスタとも言う）と駆動バイアス選択レジスタとが
設け
全面表示（例えば、４行表示）から一部の行のみの表示（例えば、１行表示）に切り替える場合、上記駆動デューティ選択レジスタと駆動バイアス選択レジスタの設定値がマイクロプロセッサによって動的に変更される。それによって、低電圧、低デューティ駆動で液晶表示パネルの一部に選択的に表示が行なわれるようにする
【００１５】具体的には、１ライン毎に時分割して選択レベルを出力するコモンドライバに接続されたコモンシフトレジスタ（図９参照）において、シフトレジスタ選択情報が液晶パネルの画面の表示を行う部分（たとえば、１行表示の部分）に対応するシフトレジスタ（Ｆ／Ｆ１からＦ／Ｆ９）にのみ順次シフトされるようにする。一方、液晶パネルの画面の非表示部分に対応する部分のシフトレジスタは、シフト動作を行なわせないようにする。
【００１６】駆動デューティ選択レジスタの設定値は、また、上記コモンシフトレジスタのシフトクロックの周期設定にも利用される。すなわち、４行表示が可能な液晶表示パネルにおいて、全面表示（４行表示）における１フレームの表示周期が、例えば、８０Ｈｚとされる場合、表示行が１行にあるいは２行にされて、低ディーディ駆動された場合であっても、図１０に示されるように、１行及び２行の表示周期は８０Ｈｚとされる。それによって、クロストークが防止される。
【００１７】また、液晶表示制御装置内には、昇圧倍率を所望に変更することが可能な１つの昇圧回路が設けられる。この昇圧回路の昇圧出力倍率は、液晶表示制御装置内に設けられた昇圧倍率選択レジスタによって制御される。液晶表示パネルの全面表示から一部の行のみの表示に切り替える場合、昇圧倍率選択レジスタの設定値がマイクロプロセッサによって動的に変更されることで、昇圧回路から出力される昇圧電圧が低くされる。上記昇圧回路の出力端子は１つとされ、液晶表示制御装置の端子数が低減されるので、液晶表示制御装置のコストが低減される。
【００１８】上記した手段によると、マイクロプロセッサからの指示により液晶表示パネルの一部の行のみを選択的に駆動（低デューティ駆動）できるため、内部コモンシフトレジスタの動作周波数及び液晶駆動電圧を下げることができる。それによって、液晶表示制御装置のトータル消費電流を抑えることができる。また、駆動バイアス選択レジスタを設けることによって、駆動デューティの変更に伴い、最適駆動バイアスも変更することができるので、コントラストの低下を防止することができる。さらに、低デューティ駆動化された場合、昇圧倍率選択レジスタの設定値によって、昇圧回路の昇圧出力倍率を低く設定することで、昇圧出力電圧を必要最小限度に下げることができる。これにより、液晶駆動電源回路の動作電圧を下げることができるとともに、昇圧回路の効率を向上させることができ、液晶表示制御装置の消費電流をさらに抑えることができる。
【００１９】また、望ましくは、液晶表示制御装置内にセンタリング表示指定レジスタが設けられる。センタリング表示指定レジスタの設定値は、マイクロプロセッサによって選択的に設定される。これによって、携帯電話機などのシステムの待機時に最も表示の見易い位置、例えば、液晶表示パネルの中央部分にドットマトリックス型キャラクタの表示を行なうことができる。例えば、ドットマトリックス型キャラクタを４行表示可能な液晶パネルの場合、上から２行目のみの表示、上から２行目と３行目の表示などように表示制御を行うことが出来る。上から２行目のみの表示及び上から２行目と３行目の表示の場合、それに対応するコモン信号線が選択レベルで駆動される。一方、表示行として選ばれない行（非表示行）については、そのコモン信号線が非選択レベルで駆動される。この場合、センタリング表示指定レジスタの設定値と駆動デューティ選択レジスタの設定値とがコモンシフトレジスタのシフト制御回路（図９参照）へ供給され、コモンシフトレジスタ内の指定された複数のフリップフロップが選択される。」
　
（２）「【００２０】
【発明の実施の形態】図１は、本発明の実施例である液晶表示システム（液晶表示装置）１００を示す。この表示システム１００は、ドットマトリクス方式の液晶表示パネル１と、該液晶表示パネル（liquid crystal display:ＬＣＤ）１のコモン電極およびセグメント電極を駆動する信号を出力して表示を行なわせる液晶表示制御装置２と、該液晶表示制御装置２の制御情報を設定したり表示データの書き込みを行なうマイクロプロセッサ（ＭＰＵ）３と、バッテリなどのシステム電源４０とを含む。マイクロプロセッサ３と液晶表示制御装置２との間には、上記装置２のチップを有効化させるイネーブル信号Ｅ、リセットを指示するためのリセット信号ＲＳ、及びリード・ライト制御信号Ｒ／ＷをＭＰＵ３から装置２へ送信するための制御信号線と、ＭＰＵ３と装置２との間の８ビットのデータ信号ＤＢ０〜ＤＢ７を送受信するためのデータバスとが設けられている。また、液晶表示パネル１と液晶表示制御装置２とは、コモン信号線ＣＯＭ１〜ＣＯＭ３２とセグメント信号線ＳＥＧ１〜ＳＥＧ８０とによって接続されている。
【００２１】液晶表示制御装置２は、中央処理装置（ＣＰＵ）を含むマイクロプロセッサ３との間の信号の送受信を行なうシステムインタフェース回路４と、内部の制御情報等を設定するためのインストラクションレジスタ５と、液晶表示パネル１の画面上に表示する文字のキャラクタコードを記憶する表示データＲＡＭ７（表示メモリ）と、該表示データＲＡＭ７から表示データを液晶表示パネル１の駆動位置に合わせて読み出すアドレスカウンタ６と、表示データＲＡＭ７から読み出されたキャラクタコードからドットマトリクス状の文字フォントパターンを展開するキャラクタジェネレータメモリ８と、該キャラクタジェネレータメモリ８から読み出された複数ビットの表示データをシリアルデータに変換する並直変換回路９と、変換された表示データをシフトして１ライン分保持するセグメントシフトレジスタ１２と、シフトされた１ライン分の表示データを保持するラッチ回路１３と、保持された表示データに基づいて液晶表示パネル１のセグメント電極に印加される駆動電圧波形を形成し出力するセグメントドライバ１４と、液晶表示パネル１のコモン電極を順次選択する信号を形成するコモンシフトレジスタ１５と、コモン電極に印加される駆動電圧波形を形成し出力するコモンドライバ１６と、上記表示データメモリ７に対する表示位置を示すタイミング信号や上記シフトレジスタ１２，１５に対して表示タイミングを与えるクロック信号を形成するタイミング発生回路１０と、システム電源４０からの電源電圧Ｖｃｉに基づいて液晶駆動電圧を発生する昇圧回路１１と、昇圧された電圧に基づいて液晶駆動バイアス電圧を発生する液晶駆動バイアス回路１８と、液晶駆動バイアス回路１８から発生されたバイアス電圧をインピーダンス変換して出力するボルテージホロワ（オペアンプ）からなる電源回路１７と、電源回路１７から出力されたバイアス電圧の中から所望のものを選択して上記セグメントドライバ回路１４およびコモンドライバ回路１６に供給する液晶駆動電圧選択回路１９とを含む。さらに、クロックパルス発生回路ＣＧＰは、外部から供給されるクロックＣＬＫを受けて、内部クロックΦをタイミング信号発生回路１０へ出力する。
【００２２】なお、上記液晶表示制御装置２は、公知の半導体集積回路製造技術によって相補型金属・絶縁膜・半導体電界効果トランジスタ（ＣＭＯＳ）の半導体集積回路（ＬＳＩ）として１つの半導体チップ上に形成される。また、図１において、Ｃ１，Ｃ２はそれぞれ、昇圧回路を構成する容量素子であり、Ｃ３は電源安定化のための容量素子である。これらの容量素子は半導体チップ上に形成可能な容量素子の容量では充分な大きさでないため、外付けの容量素子（コンデンサ）が用いられる。これらの容量は、例えば、１マイクロファラッド（μＦ）とされる。キャラクタジェネレータメモリ８は、一般にＲＯＭ（リード・オンリ・メモリ）で構成されるが、ユーザーの作成したパターンを表示可能にするため、ＲＡＭ（ランダム・アクセス・メモリ）が上記ＲＯＭに付加されることもある。特に制限されないが、上記セグメントシフトレジスタ１２およびコモンシフトレジスタ１５は、双方向シフトレジスタによって構成されている。
【００２３】この実施例の液晶表示制御装置２は、マイクロプロセッサ３がシステムインタフェース４を介して表示したいキャラクタのコードを表示位置に対応して表示データＲＡＭ７に書き込むことで、キャラクタジェネレータメモリ８内に格納されている任意のキャラクタを表示することができる。また、マイクロプロセッサ３がシステムインタフェース４を介して液晶表示を行う各種の制御情報をインストラクションレジスタ５にセットすると、装置２は設定された制御情報に従った表示制御を行なう。表示データＲＡＭ７へのデータの書き込みは、マイクロプロセッサ３が表示文字列の先頭アドレスをアドレスカウンタ６に設定することで開始される。その後アドレスカウンタ６が自動的にアドレスを更新し、マイクロプロセッサ３から入力される文字コードが次々と表示データＲＡＭ７に書き込まれる。
【００２４】表示データ（キャラクタコード）は、タイミング発生回路１０により生成された表示アドレス信号が表示データＲＡＭ７へ送られることで順次読み出され、このキャラクタコードをアドレスとしてキャラクタジェネレータメモリ８に格納されたキャラクタパタ−ンが読み出される。さらにこのキャラクタパターンは、並直変換回路９でシリアルデータに変換され、セグメント駆動回路（１２，１３，１４）内のセグメントシフトレジスタ１２に順次送られる。１ライン分のデータがセグメントシフトレジスタ１２に蓄積されたところで同時にラッチ回路１３にラッチされ、セグメントドライバ１４はこのラッチされたデータから点灯／非点灯電圧を選択して液晶表示パネル１へ出力する。この点灯／非点灯駆動の電圧レベルは液晶駆動電圧選択回路１９で発生される。
【００２５】
例えば、５×８ドットで構成されるキャラクタフォントパタ−ンを垂直方向に４行表示する場合、各表示行は８ラインになるので、コモンドライバ１６は計３２個の出力回路を必要と
このコモンドライバ１６は液晶表示パネル１のコモン駆動信号（ＣＯＭ１〜ＣＯＭ３２）を、ＣＯＭ１からＣＯＭ３２まで時分割に順次選択電圧レベルにして出力
【００２６】このような
４行まで表示可能な液晶表示パネル１において、システムの待機時など４行分を全て使用する全面表示を必要としないことが多い。例えば待機期間中は、２行あるいは１行を使用して、時刻や日時などの情報のみを表示させる場合
、従来の液晶表示制御装置では、表示されない行に対してもコモン駆動信号を出力してセグメント電極には非点灯のレベルの電圧を印加していた
ため、表示行が少ないにもかかわらず消費電力は減らないという不具合があった
表示を行なわない行についてはコモン駆動信号も印加しないようにコモンシフトレジスタ１５を動作させるようにし
待機時の液晶表示制御装置１の消費電力を低減
【００２７】ただし、この場合にもコモン駆動信号をＣＯＭ１から順次選択レベルにして出力して２行表示や１行表示を行なうようにした場合には、図３と図４にそれぞれ示すように、それぞれＣＯＭ１〜ＣＯＭ１６（１／１６デューティ駆動）及びＣＯＭ１〜ＣＯＭ８（１／８デューティ駆動）の範囲で選択レベルが出力されることとなる。このような駆動を行なうと、図５（ｂ）及び図５（ｃ）に示すように、４行表示の液晶表示パネル１の画面上部の２行または１行に偏って表示され、見た目が悪くなる。図５（ａ）は、１／３２デューティ駆動の場合の４行表示例を示す。
【００２８】そこで、この実施例では、２行表示や１行表示を行なう場合には、図６と図７にそれぞれ示すように、コモン駆動信号ＣＯＭ１〜ＣＯＭ８までの選択駆動をスキップし、ＣＯＭ９からＣＯＭ２４（１／１６デューティ駆動）又はＣＯＭ９からＣＯＭ１６（１／８デューティ駆動）までの範囲で選択レベルを出力することで、図８（ｂ）及び図８（ｃ）に示すように液晶表示パネル１の画面中央部に選択的に表示を行なうように、コモンシフトレジスタ１５を動作させている。しかもこの場合、画面中央部の表示エリア以外の非表示行は常時非選択レベルで交流駆動を行なうことで、液晶に直流バイアスが印加されて液晶が劣化し表示が黒ずんでしまうのを回避することができるようにしている。尚、図８（ａ）は１／３２デューティ駆動の場合の４行表示例を示す。
【００２９】図９は、低デューティ駆動時の画面中央部に表示を行う為の詳細な実現方法を示す。図１のインストラクションレジスタ５は、駆動デューティ値が設定される駆動デューティ選択レジスタ（表示行制御レジスタ）３４と、表示画面中央部に選択的に表示を行うことを指示するセンタリング指定レジスタ３１とを含む。
【００３０】駆動デューティ選択レジスタ３４は、例えば、２ビットの制御ビットＮＬ１−ＮＬ０を有し、ＮＬ１−ＮＬ０の値が、“００”の場合４行表示（１／３２デューティ駆動）を示し、“０１”の場合２行表示（１／１６デューティ駆動）を示し、“１０”の場合１行表示（１／８デューティ駆動）を示すようにされる。一方、センタリング指定レジスタ３１は、１ビットの制御ビットＣＥＮを有し、ＣＥＮの値が、“０”の場合中央表示をしない事を示すようにされ、“１”の場合中央表示する事を示すようにされる。
【００３１】マイクロプロセッサ３は、上記
駆動デューティ選択レジスタ３４
に所定の値を設定する。液晶表示制御装置２は、駆動デューティ選択レジスタ３４に設定された駆動デューティ値に基づいて、タイミング発生回路１０で形成されるコモンシフトレジスタ１５のシフトクロック信号ＳＣＬＫの周期を調整する。例えば、４行表示から２行表示に駆動デューティが変更された場合、たとえば８０Ｈｚとされるフレーム周期を一定に制御するため、上記シフトクロックの周期は２倍とされる。さらに１行表示に駆動デューティが変更された場合、上記シフトクロックの周期は４倍とされる。すなわち、タイミング発生回路１０は、分周比が可変にされるクロック分周回路を含む。
　
（３）「【００４８】また、液晶駆動デューティを変更した場合に良好なコントラストを得るためには、駆動バイアス比を最適化するのが望ましい。一般的に、駆動デューティを１／Ｎとすると、最良のコントラストを得るための最適駆動バイアス比Ｂは、　
Ｂ＝１／（√Ｎ＋１）
となる。例えば、１／８デューティと、１／１６デューティと、１／３２デューティでの最適駆動バイアスは、それぞれ１／４バイアス、１／５バイアス、１／６．７バイアスとなる。
【００４９】図１４（Ａ）に液晶駆動バイアス回路１８の実施例を示し、表２は各バイアスモードにおける液晶バイアス選択レジスタ３２の設定状態と、液晶駆動バイアス回路１８内のスイッチＳＷ１〜ＳＷ９、Ｓ１〜Ｓ３のオン／オフ状態との関係を示す。特に制限されないが、液晶バイアス選択レジスタ３２はインストラクションレジスタ５内に設けられている。なお、表２において「−」はオフ状態を表している。この実施例の液晶表示制御装置２は、
マイクロプロセッサ３がインストラクションレジスタ５内の液晶バイアス選択レジスタ３２に駆動バイアスを設定することで、液晶駆動バイアス回路１８内の駆動バイアス比を任意に変更する
　
（４）「【００８８】また、以上の説明では主として、本発明の利用分野である
液晶表示制御装置に適用して
蛍光表示管表示、プラズマディスプレイ表示などの各種表示装置の駆動制御に利用することができる
　
（５）上記（１）ないし（４）から、引用例には、
「液晶表示装置を搭載した携帯電話機の駆動制御方法において、
　従来の液晶表示制御装置では、待ち受け時には液晶表示パネル全面に表示を行なう必要はなくカレンダー表示や時計表示、さらにピクトグラムと呼ばれるマークやアイコン等の最小限の表示がなされていれば良いので待ち受け時には表示を減らしていたが、液晶駆動デューティを変更していなかったため待ち受け時の消費電力を充分に減らすことができなかった、例えば、５×８ドットで構成されるキャラクタフォントパタ−ンを垂直方向に４行表示する場合、各表示行は８ラインになるので、コモンドライバは計３２個の出力回路を必要とし、液晶表示パネルのコモン駆動信号（ＣＯＭ１〜ＣＯＭ３２）を、ＣＯＭ１からＣＯＭ３２まで時分割に順次選択電圧レベルにして出力する４行まで表示可能な液晶表示パネルにおいて、４行分を全て使用する全面表示を必要としない例えば待機期間中は２行あるいは１行を使用して時刻や日時などの情報のみを表示させる場合、表示されない行に対してもコモン駆動信号を出力してセグメント電極には非点灯のレベルの電圧を印加していたため、表示行が少ないにもかかわらず消費電力は減らないという不具合があったので、
　システムの動作状態に応じて液晶駆動デューティを動的に変化させ表示を行なわない行についてはコモン駆動信号も印加しないようにコモンシフトレジスタを動作させるようにすることで、待機時の液晶表示制御装置の消費電力を低減してシステムトータルの消費電力を低減できるようにするため、全面表示から一部の行のみの表示に切り替える場合、駆動デューティ選択レジスタと駆動バイアス選択レジスタの設定値をマイクロプロセッサによって動的に変更し、液晶表示制御装置が、駆動デューティ選択レジスタに設定された駆動デューティ値に基づいて、分周比が可変にされるクロック分周回路を含むタイミング発生回路で形成されるコモンシフトレジスタのシフトクロック信号の周期を、例えば、４行表示から２行表示に駆動デューティが変更された場合、たとえば８０Ｈｚとされるフレーム周期を一定に制御するため、前記シフトクロックの周期を２倍に、さらに１行表示に駆動デューティが変更された場合、前記シフトクロックの周期を４倍に調整するとともに、液晶駆動バイアス回路内の駆動バイアス比を任意に変更することによって、低電圧、低デューティ駆動で液晶表示パネルの一部に選択的に表示が行なわれるようにした、液晶表示装置を搭載した携帯電話機の駆動制御方法であって、
　蛍光表示管表示、プラズマディスプレイ表示などの各種表示装置の駆動制御に利用することができる表示装置の駆動制御方法。」の発明（以下「引用発明」という。）が記載されているものと認められる。
　
４　対比
　本願発明と引用発明を対比する。
（１）引用発明の「液晶表示装置、蛍光表示管表示、プラズマディスプレイ表示などの各種表示装置」、「携帯電話機」、「『待ち受け時には液晶表示パネル全面に表示を行なう必要はなくカレンダー表示や時計表示、さらにピクトグラムと呼ばれるマークやアイコン等の最小限の表示がなされていれば良い』ので『表示を減らし』た『待ち受け時』の『一部の行のみの表示』」、「マイクロプロセッサ」、「『分周比が可変にされるクロック分周回路を含むタイミング発生回路で形成されるコモンシフトレジスタのシフトクロック信号の周期』を決める『分周比』」、「『コモンシフトレジスタのシフトクロック信号の周期』の逆数」及び「『液晶表示装置を搭載した携帯電話機の駆動制御方法』、『蛍光表示管表示、プラズマディスプレイ表示などの各種表示装置の駆動制御に利用することができる表示装置の駆動制御方法』」は、それぞれ、本願発明の「ディスプレイ」、「携帯用電子機器」、「待受画面」、「コントローラ」、「ディスプレイを駆動するために生成される発振信号の分周比」、「ディスプレイの走査周波数」及び「『ディスプレイを駆動する駆動方法』、『ディスプレイの駆動方法』」に相当する。
　
（２）引用発明の「ディスプレイの駆動方法（表示装置の駆動制御方法）」は、「ディスプレイ（液晶表示装置）」を搭載した「携帯用電子機器（携帯電話機）」の駆動制御方法であるから、本願発明の「ディスプレイの駆動方法」と、「ディスプレイを備える携帯用電子機器で用いられ、前記ディスプレイを駆動する駆動方法」である点で一致する。
　
（３）引用発明の「システムの動作状態に応じて液晶駆動デューティを動的に変化させ表示を行なわない行についてはコモン駆動信号も印加しないようにコモンシフトレジスタを動作させるようにすることで、待機時の液晶表示制御装置の消費電力を低減してシステムトータルの消費電力を低減できるようにするため、全面表示から一部の行のみの表示に切り替える場合、駆動デューティ選択レジスタと駆動バイアス選択レジスタの設定値をマイクロプロセッサによって動的に変更し、液晶表示制御装置が、駆動デューティ選択レジスタに設定された駆動デューティ値に基づいて、分周比が可変にされるクロック分周回路を含むタイミング発生回路で形成されるコモンシフトレジスタのシフトクロック信号の周期を、例えば、４行表示から２行表示に駆動デューティが変更された場合、たとえば８０Ｈｚとされるフレーム周期を一定に制御するため、前記シフトクロックの周期を２倍に、さらに１行表示に駆動デューティが変更された場合、前記シフトクロックの周期を４倍に調整する」点と、本願発明の「前記ディスプレイに表示すべき表示内容が、待受画面、スクリーンセーブ画面、通話中に表示される通話画面、作成中又は受信した電子メールが表示される電子メール画面、又は、使用者が各種の操作を行うときに表示される操作画面の動画又は静止画であるかに応じて、コントローラが、前記ディスプレイを駆動するために生成される発振信号の分周比を変更することで、前記ディスプレイの走査周波数を変更する」点とは、上記（１）に照らせば、「前記ディスプレイに表示すべき表示内容に応じて、コントローラが、前記ディスプレイを駆動するために生成される発振信号の分周比を変更することで、前記ディスプレイの走査周波数を変更する」点で一致する。
　
（４）上記（１）ないし（３）から、本願発明と引用発明とは、
「ディスプレイを備える携帯用電子機器で用いられ、前記ディスプレイを駆動する駆動方法であって、
前記ディスプレイに表示すべき表示内容に応じて、コントローラが、前記ディスプレイを駆動するために生成される発振信号の分周比を変更することで、前記ディスプレイの走査周波数を変更する、ディスプレイの駆動方法。
」である点で一致し、次の点で相違する。
　
相違点１：
　前記ディスプレイが、本願発明では「電流駆動型の発光素子からなる」ものであるのに対して、引用発明では液晶表示装置である点。
　
相違点２：
　本願発明では、前記表示内容が、「待受画面、スクリーンセーブ画面、通話中に表示される通話画面、作成中又は受信した電子メールが表示される電子メール画面、又は、使用者が各種の操作を行うときに表示される操作画面の動画又は静止画であ」り、前記発振信号の分周比の変更が、「前記待受画面、スクリーンセーブ画面又は通話画面であるときの前記発振信号の分周比＞前記電子メール画面又は操作画面の動画であるときの前記発振信号の分周比＞前記操作画面の静止画であるときの前記発振信号の分周比、の関係式に従って行われる」のに対して、
　引用発明では、待ち受け時には液晶表示パネル全面に表示を行なう必要はなくカレンダー表示や時計表示、さらにピクトグラムと呼ばれるマークやアイコン等の最小限の表示がなされていれば良いので待ち受け時には表示を減らし全面表示から一部の行のみの表示に切り替えるなどシステムの動作状態に応じた表示内容にするが、その表示内容として、「待受画面」以外に、「スクリーンセーブ画面、通話中に表示される通話画面、作成中又は受信した電子メールが表示される電子メール画面、又は、使用者が各種の操作を行うときに表示される操作画面の動画又は静止画」を含んでいるかどうかは明らかでない点。
　
５　判断
　上記相違点１及び２について検討する。
（１）相違点１について、
　引用発明は、蛍光表示管表示、プラズマディスプレイ表示などの各種表示装置の駆動制御に利用することができる表示装置の駆動制御方法であり、蛍光表示管表示装置やプラズマディスプレイは電流駆動型の発光素子からなる表示装置であるといえるから、引用発明において、前記「ディスプレイ」を「電流駆動型の発光素子からなる」ものとなすこと、すなわち、引用発明において、上記相違点１に係る本願発明の構成となすことは、当業者が適宜なし得た程度のことである。
　
（２）相違点２について、
　ア　携帯電話機のシステムの動作状態として、待受状態、スクリーンセーブ状態、通話状態、電子メール作成状態、受信した電子メールの表示状態、動画の表示操作状態、静止画の表示操作状態などは、本願の出願前に周知である（以下「周知事項」という。例．特開２００１−９２７４０号公報の【００３７】に記載の「スクリーンセーブ」、特開平１１−３１９３１８号公報の【０００６】ないし【００１１】に記載の「移動通信端末」つまり携帯電話機で「テトリス（登録商標）などの移動物体を処理するゲーム」を行っている状態、特開平１１−２３２０１９号公報の【００１５】ないし【００２７】及び図１２の「受信メール開封画面」表示状態、同公報の【００５３】ないし【００５８】及び図２６の「メール作成画面」表示状態、及び、特開２００１−１０１１０１号公報の【００２６】及び図８の「画像データ名（“ＩＭＡＧＥ＿３”）を持つ画像が背景画像５４として表示されている」携帯電話機参照。）。
　
　イ　引用発明の「ディスプレイの駆動方法」は、液晶表示装置を搭載した携帯電話機の駆動制御方法であり、携帯電話機のシステムの動作状態に応じて液晶駆動デューティを動的に変化させ、待ち受け時には液晶表示パネル全面に表示を行なう必要はなくカレンダー表示や時計表示、さらにピクトグラムと呼ばれるマークやアイコン等の最小限の表示がなされていれば良いので待ち受け時には表示を減らす駆動制御方法であるところ、上記アからみて、引用発明において、携帯電話機のシステムの動作状態が、待受状態、スクリーンセーブ状態、通話状態、電子メール作成状態、受信した電子メールの表示状態、動画の表示操作状態又は静止画の表示操作状態のいずれであるかにに応じて液晶駆動デューティを動的に変化させ、待受状態に限らず、スクリーンセーブ状態、通話状態においても表示を最も減らすとともに、分周比が可変にされるクロック分周回路を含むタイミング発生回路で形成されるコモンシフトレジスタのシフトクロック信号の周期を最も長くし、静止画の表示操作状態のときには全面表示としシフトクロック信号の周期を最も短くし、その他の必ずしも全面表示を行なう必要がない状態やシフトクロック信号の周期を必ずしも短くする必要がない状態においては表示を少し減らしたりシフトクロック信号の周期を少し長くしたりすることは、当業者が周知事項に基づいて適宜なし得た程度のことである。
　
　ウ　そして、本願の発明の詳細な説明には、本願発明における、前記発振信号の分周比の変更を「前記待受画面、スクリーンセーブ画面又は通話画面であるときの前記発振信号の分周比＞前記電子メール画面又は操作画面の動画であるときの前記発振信号の分周比＞前記操作画面の静止画であるときの前記発振信号の分周比、の関係式」に従って行う点に関して、「これらの表示内容ＣＰは、使用者の関心度、認識度、必要度、満足度などによって分類することができる。例えば、待受画面やスクリーンセーブ画面、通話画面は、使用者の関心度及び必要度はいずれも低いが、何らかの文字や画像が表示されていれば待受画面やスクリーンセーブ画面、通話画面であると認識しやすいので、鮮明でない画像でも認識度は高く、ある程度の満足度もある。これに対し、操作画面は、使用者の関心度及び必要度はいずれも高く、鮮明な画像でなければ認識度は高くならず、満足度も低い。一方、電子メール画面は、使用者の関心度及び必要度はいずれも高いが、画像に比べて文字の方が鮮明でなくても認識度は高く、ある程度の満足度もある。さらに、動画の場合には、静止画に比べて鮮明でなくても認識度は高く、ある程度の満足度もある。」（【００４５】）、「そこで、この例においては、制御部２５は、表示内容ＣＰが待受画面やスクリーンセーブ画面、通話画面である場合には、上記分周器１７における分周比（１／ｋ）が１／１００,０００となるように指定する指定信号Ｓｋを駆動回路１２に供給する。これにより、分周器１７は、クロックＣＬＫの周波数が６０Ｈｚとなるように発振信号ＳＯＳＣを分周する。また、制御部２５は、表示内容ＣＰが電子メール画面、操作画面の動画である場合には、上記分周器１７における分周比（１／ｋ）が１／８０,０００となるように指定する指定信号Ｓｋを駆動回路１２に供給する。これにより、分周器１７は、クロックＣＬＫの周波数が７５Ｈｚとなるように発振信号ＳＯＳＣを分周する。さらに、制御部２５は、表示内容ＣＰが操作画面の静止画である場合には、上記分周器１７における分周比（１／ｋ）が１／６６,６６７となるように指定する指定信号Ｓｋを駆動回路１２に供給する。これにより、分周器１７は、クロックＣＬＫの周波数が９０Ｈｚとなるように発振信号ＳＯＳＣを分周する。消費電流低減の効果については、単純計算であるが、クロックＣＬＫの周波数が９０Ｈｚの時の自発光ディスプレイ１１における消費電流を１００％とすると、クロックＣＬＫの周波数が７５Ｈｚの時では約１６．７％の低減、クロックＣＬＫの周波数が６０Ｈｚの時では約３３．３％の低減となる。」（【【００４６】】）と記載されている。
　
　エ　しかしながら、不鮮明な文字は特に文字が小さいと判読ができないことやクロックの周波数を低くすると動画における動きがぎこちないものになることが当業者に自明であるから、上記ウの「電子メール画面は、使用者の関心度及び必要度はいずれも高いが、画像に比べて文字の方が鮮明でなくても認識度は高く、ある程度の満足度もある。」との点及び「動画の場合には、静止画に比べて鮮明でなくても認識度は高く、ある程度の満足度もある。…略…表示内容ＣＰが…略…操作画面の動画である場合には、…略…クロックＣＬＫの周波数が７５Ｈｚとなるように発振信号ＳＯＳＣを分周する。」と点については、主観、あるいは本願明細書に開示のない特定の具体的な表示内容の組に基づく判断であって、客観的な基準、絶対的な基準に基づくものであるとは解されない。
　してみると、本願発明において、「前記電子メール画面又は操作画面の動画であるときの前記発振信号の分周比」を、「前記待受画面、スクリーンセーブ画面又は通話画面であるときの前記発振信号の分周比」より小さく、かつ「前記操作画面の静止画であるときの前記発振信号の分周比」より大きくした点に設計上の事項を超える技術上の意義があるとは解せないから、この点は当業者が適宜決定した設計上の事項にすぎない。
　
　オ　以上のとおりであるから、引用発明において、前記表示内容を「待受画面、スクリーンセーブ画面、通話中に表示される通話画面、作成中又は受信した電子メールが表示される電子メール画面、又は、使用者が各種の操作を行うときに表示される操作画面の動画又は静止画」を含むものとし、前記発振信号の分周比の変更を「前記待受画面、スクリーンセーブ画面又は通話画面であるときの前記発振信号の分周比＞その他の必ずしも全面表示を行なう必要がない状態やシフトクロック信号の周期を必ずしも短くする必要がない状態であるときの前記発振信号の分周比＞前記操作画面の静止画であるときの前記発振信号の分周比、の関係式に従って行われる」ようになすことは、当業者が周知事項に基づいて容易になし得たことであり、本願発明において「前記電子メール画面又は操作画面の動画であるときの前記発振信号の分周比」を、「前記待受画面、スクリーンセーブ画面又は通話画面であるときの前記発振信号の分周比」より小さく、かつ「前記操作画面の静止画であるときの前記発振信号の分周比」より大きくした点は設計上の事項にすぎない。
　
（３）本願発明の奏する効果は、引用発明の奏する効果及び周知事項から当業者が予測することができた程度のことである。
　
（４）したがって、本願発明は、当業者が引用例に記載された発明及び周知事項に基づいて容易に発明をすることができたものである。
　
６　むすび
　本願発明は、以上のとおり、当業者が引用例に記載された発明及び周知事項に基づいて容易に発明をすることができたものであるから、特許法第２９条第２項の規定により特許を受けることができない。
　よって、結論のとおり審決する。